(57)【要約】【課題】用紙をずらして排出するオフセット機能に頼らない場合でも、印刷が停止した後、印刷を再開したときの再開位置を確認できるようにする情報制御装置、情報制御システム及びプログラムを提供する。【解決手段】情報制御装置は、給紙部から給紙され印刷された用紙を重ねて集積する集積部を備えた印刷装置を制御する、印刷装置による印刷の途中において、印刷が停止し、印刷を再開する場合、再開位置を示すために挿入される用紙として、集積部に集積したときに他の用紙からはみ出る用紙を給紙部から給紙して集積部に集積するよう制御する制御部を備える。【選択図】図１
2019093673.tif 000002
【特許請求の範囲】
【請求項１】
給紙部から給紙され印刷された用紙を重ねて集積する集積部を備えた印刷装置を制御する、
前記印刷装置による印刷の途中において、前記印刷が停止し、印刷を再開する場合、再開位置を示すために挿入される用紙として、前記集積部に集積したときに他の用紙からはみ出る用紙を前記給紙部から給紙して前記集積部に集積するよう制御する制御部を備えた情報制御装置。
【請求項２】
前記制御部は、前記停止した印刷を再開する場合、前記はみ出る用紙として前記停止するまで使用していた前記用紙とは搬送方向に対する向きが異なる用紙を格納している給紙トレイが存在する場合に、当該給紙トレイから用紙を給紙し、前記集積部に集積するよう制御する請求項１に記載の情報制御装置。
【請求項３】
前記制御部は、前記停止した印刷を再開する場合、前記はみ出る用紙として前記停止するまで使用していた前記用紙よりも予め指定した数値以上大きいサイズの用紙を格納している給紙トレイが存在する場合に、当該給紙トレイから用紙を給紙し、前記集積部に集積するよう制御する請求項１に記載の情報制御装置。
【請求項４】
前記制御部は、前記停止した印刷を再開する場合、前記はみ出る用紙として予め指定されたサイズの用紙が格納されている前記給紙トレイから用紙を給紙し、前記集積部に集積するよう制御する請求項３に記載の情報制御装置。
【請求項５】
さらに、前記停止した印刷を再開する場合、前記再開位置を示すために挿入される用紙を選択する選択部と、表示部を有し、前記制御部は、前記再開位置を示すために挿入される前記はみ出る用紙として、前記停止するまで使用していた用紙とは搬送方向に対する向きが異なる用紙及び前記停止するまで使用していた用紙とサイズが異なる用紙のうち少なくとも一方を前記選択部に選択させる選択画面を前記表示部に表示するよう制御する請求項１に記載の情報制御装置。
【請求項６】
前記選択画面によって、前記再開位置を示すために挿入される前記はみ出る用紙として、前記搬送方向に対する向きが異なる用紙、及び前記サイズが異なる用紙の両方が選択された場合に、前記制御部は、前記選択部を、前記搬送方向に対する向きが異なる用紙を前記再開位置を示すために挿入される用紙として優先して選択するよう制御する請求項５に記載の情報制御装置。
【請求項７】
前記選択画面によって、前記再開位置を示すために挿入される前記はみ出る用紙として、前記搬送方向に対する向きが異なる用紙、及び前記サイズが異なる用紙の両方が選択された場合に、前記制御部は、前記選択部を、前記サイズが異なる用紙を優先して選択するよう制御する請求項５に記載の情報制御装置。
【請求項８】
前記選択画面によって、前記再開位置を示すために挿入される前記はみ出る用紙として、前記搬送方向に対する向きが異なる用紙、及び前記サイズが異なる用紙の両方が選択された場合に、前記制御部は、前記選択部を、給紙トレイから給紙可能な用紙を優先して選択するよう制御する請求項５に記載の情報制御装置。
【請求項９】
前記選択部が前記再開位置を示すために挿入される前記はみ出る用紙として選択した用紙を給紙できない場合に、前記制御部は、給紙できないことを通知する請求項５に記載の情報制御装置。
【請求項１０】
部単位での印刷が指示されている文書の印刷の途中において、前記印刷が停止し、印刷を再開する場合、
前記制御部は、再開後最初に印刷する部の前に、前記停止するまで使用していた用紙とは搬送方向に対する向きが異なる用紙、前記停止するまで使用していた用紙よりサイズが大きい用紙又は予め指定されたサイズの用紙を給紙して挿入するように制御する請求項１に記載の情報制御装置。
【請求項１１】
給紙部から給紙され印刷された用紙を重ねて集積する集積部を備えた印刷装置と、
前記印刷装置による印刷の途中において、前記印刷が停止し、印刷を再開する場合、再開位置を示すために挿入される用紙として、前記集積部に集積したときに他の用紙からはみ出る用紙を前記給紙部から給紙して前記集積部に集積するよう制御する制御部を備えた情報制御装置と、
を備えた情報制御システム。
【請求項１２】
給紙部から給紙され印刷された用紙を重ねて集積する集積部を備えた印刷装置を制御するコンピュータを、
前記印刷装置による印刷の途中において、前記印刷が停止し、印刷を再開する場合、再開位置を示すために挿入される用紙として、前記集積部に集積したときに他の用紙からはみ出る用紙を前記給紙部から給紙して前記集積部に集積するよう制御する制御部として機能させるプログラム。
【発明の詳細な説明】
【技術分野】
【０００１】
本発明は、情報制御装置、情報制御システム及びプログラムに関する。
【背景技術】
【０００２】
従来、複数ページの印刷処理中において紙詰まり等の何らかの原因により印刷が停止した場合、その後印刷を再開したとき再開した位置でページの抜けやページの重複等がないか確認するために、印刷を再開した位置がわかるようにしたいという要望があった。それに対して例えば、印刷処理の続きが再開された位置を認識し易くすることが可能な印刷装置の制御装置が提案されている（例えば、特許文献１参照）。
【０００３】
特許文献１に開示された印刷装置の制御装置は、正常な印刷物の排出を妨げる障害が発生した場合、障害が解消された後に印刷処理を再開したとき、再開前に正常に排出された印刷物と再開後に排出される印刷物との間に目印を挿入するようにしたものであり、例えば、印刷処理に用いられる印刷媒体と異なる種類のシートを目印として挿入するようにしている。
【先行技術文献】
【特許文献】
【０００４】
【特許文献１】特開２００８−２６２１０３号公報
【発明の概要】
【発明が解決しようとする課題】
【０００５】
印刷物をずらして排出するオフセット機能を備えた排出トレイに印刷物を排出する場合には、再開位置を認識し易くするために、印刷再開後の再開位置を示す目印として、印刷再開後、最初に印刷物が排出される前に、印刷物とは異なるシートを１枚、今まで排出された印刷物に対してずらして排出したり、再開後の最初の１枚目の印刷物を今までとはずらして排出したりすることなどが行われていた。
【０００６】
そこで本発明の課題は、用紙をずらして排出するオフセット機能に頼らない場合でも、印刷が停止した後、印刷を再開したときの再開位置を確認できるようにする情報制御装置、情報制御システム及びプログラムを提供することにある。
【課題を解決するための手段】
【０００７】
［１］給紙部から給紙され印刷された用紙を重ねて集積する集積部を備えた印刷装置を制御する、
前記印刷装置による印刷の途中において、前記印刷が停止し、印刷を再開する場合、再開位置を示すために挿入される用紙として、前記集積部に集積したときに他の用紙からはみ出る用紙を前記給紙部から給紙して前記集積部に集積するよう制御する制御部を備えた情報制御装置。
［２］前記制御部は、前記停止した印刷を再開する場合、前記はみ出る用紙として前記停止するまで使用していた前記用紙とは搬送方向に対する向きが異なる用紙を格納している給紙トレイが存在する場合に、当該給紙トレイから用紙を給紙し、前記集積部に集積するよう制御する前記［１］に記載の情報制御装置。
［３］前記制御部は、前記停止した印刷を再開する場合、前記はみ出る用紙として前記停止するまで使用していた前記用紙よりも予め指定した数値以上大きいサイズの用紙を格納している給紙トレイが存在する場合に、当該給紙トレイから用紙を給紙し、前記集積部に集積するよう制御する前記［１］に記載の情報制御装置。
［４］前記制御部は、前記停止した印刷を再開する場合、前記はみ出る用紙として予め指定されたサイズの用紙が格納されている前記給紙トレイから用紙を給紙し、前記集積部に集積するよう制御する前記［３］に記載の情報制御装置。
［５］さらに、前記停止した印刷を再開する場合、前記再開位置を示すために挿入される用紙を選択する選択部と、表示部を有し、前記制御部は、前記再開位置を示すために挿入される前記はみ出る用紙として、前記停止するまで使用していた用紙とは搬送方向に対する向きが異なる用紙及び前記停止するまで使用していた用紙とサイズが異なる用紙のうち少なくとも一方を前記選択部に選択させる選択画面を前記表示部に表示するよう制御する前記［１］に記載の情報制御装置。
［６］前記選択画面によって、前記再開位置を示すために挿入される前記はみ出る用紙として、前記搬送方向に対する向きが異なる用紙、及び前記サイズが異なる用紙の両方が選択された場合に、前記制御部は、前記選択部を、前記搬送方向に対する向きが異なる用紙を前記再開位置を示すために挿入される用紙として優先して選択するよう制御する前記［５］に記載の情報制御装置。
［７］前記選択画面によって、前記再開位置を示すために挿入される前記はみ出る用紙として、前記搬送方向に対する向きが異なる用紙、及び前記サイズが異なる用紙の両方が選択された場合に、前記制御部は、前記選択部を、前記サイズが異なる用紙を優先して選択するよう制御する前記［５］に記載の情報制御装置。
［８］前記選択画面によって、前記再開位置を示すために挿入される前記はみ出る用紙として、前記搬送方向に対する向きが異なる用紙、及び前記サイズが異なる用紙の両方が選択された場合に、前記制御部は、前記選択部を、給紙トレイから給紙可能な用紙を優先して選択するよう制御する前記［５］に記載の情報制御装置。
［９］前記選択部が前記再開位置を示すために挿入される前記はみ出る用紙として選択した用紙を給紙できない場合に、前記制御部は、給紙できないことを通知する前記［５］に記載の情報制御装置。
［１０］部単位での印刷が指示されている文書の印刷の途中において、前記印刷が停止し、印刷を再開する場合、
前記制御部は、再開後最初に印刷する部の前に、前記停止するまで使用していた用紙とは搬送方向に対する向きが異なる用紙、前記停止するまで使用していた用紙よりサイズが大きい用紙又は予め指定されたサイズの用紙を給紙して挿入するように制御する前記［１］に記載の情報制御装置。
［１１］給紙部から給紙され印刷された用紙を重ねて集積する集積部を備えた印刷装置と、
前記印刷装置による印刷の途中において、前記印刷が停止し、印刷を再開する場合、再開位置を示すために挿入される用紙として、前記集積部に集積したときに他の用紙からはみ出る用紙を前記給紙部から給紙して前記集積部に集積するよう制御する制御部を備えた情報制御装置と、
を備えた情報制御システム。
［１２］給紙部から給紙され印刷された用紙を重ねて集積する集積部を備えた印刷装置を制御するコンピュータを、
前記印刷装置による印刷の途中において、前記印刷が停止し、印刷を再開する場合、再開位置を示すために挿入される用紙として、前記集積部に集積したときに他の用紙からはみ出る用紙を前記給紙部から給紙して前記集積部に集積するよう制御する制御部として機能させるプログラム。
【発明の効果】
【０００８】
請求項１、１１及び１２に係る発明によれば、用紙をずらして排出するオフセット機能に頼らない場合でも、印刷が停止した後、印刷を再開したときの再開位置を確認できる。
請求項２に係る発明によれぱ、停止するまで使用していた用紙とは搬送方向に対する向きが異なる用紙を格納している給紙トレイから給紙して用紙を挿入することで再開位置を確認できる。
請求項３に係る発明によれば、停止するまで使用していた用紙よりも予め指定した数値以上大きいサイズの用紙を格納している給紙トレイから給紙して用紙を挿入することで再開位置を確認できる。
請求項４に係る発明によれば、予め指定されたサイズの用紙が格納されている給紙トレイから給紙して用紙を挿入することで再開位置を確認できる。
請求項５に係る発明によれば、再開位置を示すために挿入される用紙を選択する選択メニューを通知することで、給紙トレイに格納されている用紙の状況や印刷指示の特性に応じて再開位置の確認に適した用紙を選択することができる。
請求項６に係る発明によれば、再開位置を示すために挿入される用紙の選択が競合した場合に、搬送方向に対する向きが異なる用紙を優先して選択することで再開位置を確認できる。
請求項７に係る発明によれば、再開位置を示すために挿入される用紙の選択が競合した場合に、サイズが異なる用紙を優先して選択することで再開位置を確認できる。
請求項８に係る発明によれば、再開位置を示すために挿入される用紙の選択が競合した場合に、給紙トレイから給紙可能な用紙を優先して選択することで再開位置を確認できる。
請求項９に係る発明によれば、選択した用紙を給紙できない場合に、給紙できないことを通知することでユーザに注意を喚起することができる。
請求項１０に係る発明によれば、部単位での印刷が指示されている文書の印刷においても印刷停止後の部単位での再開位置を確認できる。
【図面の簡単な説明】
【０００９】
【図１】図１は、本発明の第１の実施の形態に係る印刷制御システムの概略構成の一例を示す図である。
【図２】図２は、印刷制御装置の概略構成の一例を示すブロック図である。
【図３】図３は、印刷装置の概略構成の一例を示すブロック図である。
【図４】図４は、第１の実施の形態における印刷制御装置の動作の一例を示すフローチャートである。
【図５】図５は、第１の実施の形態において印刷再開処理時の設定を行う際のＧＵＩ画面の一例を示す図である。
【図６】図６は、第１の実施の形態において再開位置を示すために向きの異なる白紙を挿入する場合を示す図である。
【図７】図７は、再開位置を示す用紙を挿入する際に表示されるメッセージの一例を示す図である。
【図８】図８は、選択された再開位置を示す用紙を給紙できない場合に表示されるメッセージの一例を示す図である。
【図９】図９は、第２の実施の形態において再開位置を示すために向きの異なる本文の用紙を挿入する場合を示す図である。
【図１０】図１０は、第３の実施の形態において再開位置を示すためにサイズの大きな用紙を挿入する場合を示す図である。
【図１１】図１１は、第４の実施の形態における印刷制御装置の動作の一例を示すフローチャートである。
【図１２】図１２は、第４の実施の形態において少量ページの印刷指定に対する印刷再開処理時の設定を行う際のＧＵＩ画面の一例を示す図である。
【図１３】図１３は、少量ページの印刷指定において再開位置を示す用紙を挿入する際に表示されるメッセージの一例を示す図である。
【発明を実施するための形態】
【００１０】
［第１の実施の形態］
以下、本発明の第1の実施の形態について図面を参照して詳細に説明する。
【００１１】
（印刷制御システムの構成）
図１は、本発明の実施の形態に係る印刷制御システムの概略構成を示す構成図である。
【００１２】
図１に示すように、印刷制御システム１は、印刷制御装置２と、印刷装置３と、端末装置４とをそれぞれネットワーク５で接続して構成される。なお、印刷装置及び端末装置４は、同図では単体を示すが、それぞれ複数台設けられていてもよい。
【００１３】
印刷制御装置２は、端末装置４からの要求に応じて印刷装置３における印刷の実行を制御する。また、印刷装置３の印刷処理中に印刷の停止の原因となるような障害の発生を監視し、障害の内容に応じて、印刷停止後の印刷装置３の印刷再開処理を制御する。なお、印刷制御装置２は、情報制御装置の一例である。
【００１４】
印刷装置３は、端末装置４の要求に基づき印刷制御装置２を介して印刷を実行し、印刷物を出力する。印刷装置３は、印刷機能の他に、スキャナ、ファクシミリ等の他の機能を有していてもよく、また単一のユニットのみならず、各機能に対応した複数のユニットからなるものでもよい。
【００１５】
端末装置４は、ＬＣＤ（Ｌｉｑｕｉｄ  Ｃｒｙｓｔａｌ  Ｄｉｓｐｌａｙ）等の表示部やキーボード、マウス等の操作部を有し、操作部に対する操作内容に応じて印刷制御装置２から印刷指示が印刷装置３に送られるようになっている。
【００１６】
ネットワーク５は、ＬＡＮ（Ｌｏｃａｌ  Ａｒｅａ  Ｎｅｔｗｏｒｋ）やインターネット等であって、有線、無線は問わない。
【００１７】
（印刷制御装置の構成）
図２は、印刷制御装置２の構成の一例を示すブロック図である。
【００１８】
印刷制御装置２は、制御部２０、記憶部２１、通信部２２及び操作表示部２３を有している。
【００１９】
制御部２０は、ＣＰＵ（Ｃｅｎｔｒａｌ  Ｐｒｏｃｅｓｓｉｎｇ  Ｕｎｉｔ）、メモリ等から構成され各部を制御するとともに各種のプログラムを実行するものである。記憶部２１は、ＨＤＤ（Ｈａｒｄ  Ｄｉｓｋ  Ｄｒｉｖｅ）やフラッシュメモリ等の記憶装置から構成され情報を記憶するものである。制御部２０及び記憶部２１については後でさらに詳しく説明する。
【００２０】
通信部２２は、ネットワーク５を介して印刷装置３並びに端末装置４と通信するものである。操作表示部２３は、いわゆるユーザインターフェースであり、ユーザに画像等の情報を提示しつつ、ユーザからの指示入力を受け付けるＧＵＩ（Ｇｒａｐｈｉｃａｌ  Ｕｓｅｒ  Ｉｎｔｅｒ  Ｆａｃｅ）、タッチパネル等で構成され、特に限定されるものではない。
【００２１】
制御部２０は、後述する記憶部２１に記憶された印刷制御プログラム２１０を実行することで、印刷指示管理部２００、印刷制御部２０１、障害検知部２０２、用紙選択部２０３及び通知部２０４として機能する。
【００２２】
印刷指示管理部２００は、端末装置４から送られた印刷指示を管理するものであり、印刷指示を印刷制御部２０１に通知する。印刷制御部２０１は、印刷指示を印刷装置３に通知して印刷の実行を制御するものである。特に、印刷制御部２０１は、印刷が停止した後、印刷を再開するときの処理の設定をするとともに、印刷再開処理を制御する。この印刷停止後の印刷再開処理については、後で詳しく説明する。
【００２３】
障害検知部２０２は、印刷装置３から送信される情報に基づいて印刷処理動作を監視し、例えば紙詰まり（ペーパージャム）等の印刷障害を検知する。印刷装置３が印刷を停止する障害としては、紙詰まりに限定されるものではなく、用紙切れ等あるいは印刷装置３が後処理部を備えている場合に後処理部の不具合によるもの等の物理的な原因の他、ユーザによって一時的に停止されるような場合も含まれる。
【００２４】
用紙選択部２０３は、印刷再開処理の設定をする際、印刷再開後に最初に排出され、再開位置を示すために挿入する用紙を選択するものである。また、通知部２０４は、印刷再開処理において、再開位置を示すために今までとは異なる用紙を給紙した旨、あるいは用紙選択部２０３によって選択された用紙を給紙できない旨などをユーザに通知するものである。この通知は操作表示部２３に表示されるが、端末装置４にも通知して表示するようにしてもよい。
【００２５】
記憶部２１は、制御部２０を上述した各部２００〜２０４として動作させる印刷制御プログラム２１０、選択用紙情報２１１及び印刷再開処理情報２１２等を格納する。選択用紙情報２１１は、選択部２０３によって選択された、印刷再開位置を示すために用いられる用紙に関する情報である。また、印刷再開処理情報２１２は、印刷が停止したときに、すでに印刷された用紙が排出された箇所及びどこから印刷を再開するかを示す情報等を含む、印刷制御部２０１において設定された印刷再開処理に関する情報である。
【００２６】
（印刷装置の構成）
図３は、印刷装置３の概略構成の一例を示すブロック図である。
【００２７】
印刷装置３は、給紙部３０、印刷部３１及び集積部３２とから構成されている。給紙部３０は、複数の給紙トレイ（給紙トレイＡ３００、給紙トレイＢ３０１、給紙トレイＣ３０２）を備え、各給紙トレイに例えばそれぞれ同サイズで向きの異なる用紙あるいはサイズの異なる用紙等を格納している。そして給紙部３０は、印刷時には適当な給紙トレイ（３００〜３０２）から用紙を取り出し、印刷部３１に給紙する。印刷部３１は、給紙部３０から給紙された用紙に印刷を行い、印刷済みの用紙を集積部３２に排出する。
【００２８】
集積部３２は、印刷部３１から排出された用紙を受け取り、取り出し易いように集積するものであり、用紙を集積する複数のトレイを有している。図では、用紙を集積するための３つのトレイが表示されており、一番上のトレイはトップトレイ３２０で、下の２つはスタッカトレイ３２１、３２２である。
【００２９】
ここで、スタッカトレイ３２１、３２２は、用紙を横にずらして集積するオフセット機能を有しており、例えば、部単位で印刷するような場合に、部毎に横にずらして集積することで、各部の境目が分かるようにすることができる。一方、トップトレイ３２０は、このようなオフセット機能を有していない。
【００３０】
これらのトレイの使用法としては、例えば、二つのスタッカトレイ３２１、３２２は、その一方が満杯になった場合に、排出先を他方に切り替えて、その間に満杯となったトレイから印刷物を取り出すようにして、２つのスタッカトレイ３２１、３２２を交互に用いることで中断することなく連続して大量の印刷を行うことができる。また、トップトレイ３２０は、サンプルページや少量の印刷物の排出に用いられることが多い。
【００３１】
なお、図では給紙部３０及び集積部３２は、それぞれ３つのトレイを有しているが、トレイの数はこれに限定されるものではない。また、図に示す集積部３２は、オフセット機能を有しているトレイと、オフセット機能を有していないトレイの両方を備えているが、必ずしもオフセット機能を有しているトレイは必要ではなく、オフセット機能を有していないトレイだけであってもよい。また、オフセット機能を有しているトレイに排出する場合であっても、オフセット機能を使用せずに、オフセット機能に頼らずに排出する場合もある。
【００３２】
（第１の実施の形態の動作）
次に、本発明の第１の実施の形態の印刷制御装置２の動作を図４を参照して説明する。図４は、本発明の第１の実施の形態の印刷制御装置２の動作の一例を示すフローチャートである。
【００３３】
印刷制御装置２の障害検知部２０２は、印刷装置３から印刷装置３の状態を定期的に受信し、その内容から印刷障害の発生を検知する（Ｓ１００）。
【００３４】
障害の発生が検知されると、印刷制御装置２の印刷制御部２０１は、印刷装置３の印刷実行を停止し、障害が除去された後の印刷再開処理の設定を行う（Ｓ１０１）。すなわち、印刷を再開する際、集積部３２に集積される印刷物に対して、再開位置を確認するための目印を付与する処理（これをリカバリオフセットという）を行うか否か、また行う場合にはどのような内容とするか等の設定を行う。印刷再開処理の設定は、印刷制御装置２の操作表示部２３に表示されるＧＵＩ画面によって行われる。
【００３５】
図５に、印刷再開処理の設定を行うＧＵＩ画面の一例を示す。図５に示すＧＵＩ画面４０において、まず再開位置を確認するための目印を付与するための処理を行う場合には、「リカバリオフセットを有効にする」のチェックボックス４００にチェックを入れる。次に再開位置の目印として、再開位置に白紙を挿入するか、再開後の最初に印刷される本文の用紙を向きを変えて排出するかをラジオボタン４０１のいずれかをクリックして選択する。図では「白紙を挿入する」を選択している。
【００３６】
次に、オフセット機能を有していないトップトレイ３２０に排出する場合、あるいはオフセット機能を有するスタッカトレイ３２１、３２２であってもオフセット機能を使用せずに排出する場合の設定を行う。なお、以下では特に断らない限り、「オフセット機能を有していない」という表現に、オフセット機能を備えていてもそれを使用しない場合を含めて、単に「オフセット機能を有していない」と言うことにする。
【００３７】
オフセット機能を有していない場合には、用紙をずらして排出することができないので、用紙の向きを変えて排出するか、サイズの異なる用紙を排出することで再開位置の目印とする。すなわち、印刷が停止するまで排出されていた用紙と異なる向きの用紙（今までが横方向（ＳＥＦ）なら縦方向（ＬＥＦ）、今までが縦方向（ＬＥＦ）なら横方向（ＳＥＦ））の用紙を給紙するか、あるいは今まで印刷に用いていた用紙とはサイズの異なる用紙を給紙するか、をチェックボックス４０２、４０３にチェックを入れて選択する。
【００３８】
このときどちらか一方だけでなく、図に示すように両方を選択することもできる。両方が選択された場合には、より上に記載されたものが優先される。図では、上にある縦横の向き（ＳＥＦ／ＬＥＦ）を切り替えた用紙を給紙することが優先される。
【００３９】
また、サイズの異なる用紙を選択した場合には、さらにその大きさを数値で入力する。なお、図５では、サイズの異なる用紙として、大きいサイズの用紙を選択する場合の一例を示している。幅及び高さの数値を数値入力ボックス４０４に入力して設定する。このとき、入力された数値より大きければよいとして指定してもよいし、今までの用紙とは異なる予め指定されたサイズの用紙として指定できるようにしてもよい。またさらに、今までの用紙には関係なく、給紙トレイに格納されている最大サイズの用紙等の用紙を予め指定してもよい。なお、サイズの異なる用紙としては、必ずしも今までの用紙より大きなサイズのものに限らず、たとえサイズが小さくとも、排出トレイにおいて今までの用紙から一部がはみ出るような用紙であればよい。
【００４０】
設定の入力が済んだら「ＯＫ」ボタン４０５をクリックすると上で入力した設定が確定する。なお、印刷再開処理の設定をやめる場合には「キャンセル」ボタン４０６をクリックすれば上で入力した設定がすべて解除される。
【００４１】
このように用紙選択の設定が確定すると、用紙選択部２０３によって実際に用紙の選択が行われる。用紙選択部２０３は、どのような用紙の選択が行われたかを示す選択用紙情報を記憶部２１の選択用紙情報２１１に書き込み、この情報により実際に印刷再開処理が行われる。
【００４２】
なお、この印刷再開処理の設定は、このように障害を検知したときに行うのではなく、印刷を行うときに予め行っておくようにして、印刷実行時にはその設定に従って装置が自動的に印刷再開処理を行うようにしてもよい。
【００４３】
次に印刷制御部２０１は、印刷装置３の情報から、印刷が停止するまでに印刷された用紙を排出していた排出先のトレイがオフセット機能を有しているか否か判断する（Ｓ１０２）。すなわち、前述した言葉の定義に従ってより詳しく言うと、「排出先のトレイがオフセット機能を有していないか、あるいはオフセット機能を有していてもその機能を使用していないか」が判断される。
【００４４】
その結果、排出先のトレイがオフセット機能を有していない場合（Ｓ１０２；Ｎｏ）、印刷制御部２０１は、印刷装置３の情報から、上で選択された用紙が給紙可能であるか否か判断する（Ｓ１０３）。
【００４５】
選択された用紙が給紙可能、すなわち選択された用紙が給紙トレイに格納されている場合（Ｓ１０３；Ｙｅｓ）、選択された用紙を印刷再開後最初に給紙し、排出する（Ｓ１０４）。
【００４６】
図５に示すＧＵＩ画面のように設定された場合には、白紙で縦横の向きを変えた用紙と大きいサイズの用紙の両方が選択されているが、白紙で縦横の向きを変えた用紙が優先される。よって、白紙で縦横の向きを変えた用紙が給紙トレイに格納されている場合には、白紙で縦横の向きを変えた用紙が排出される。
【００４７】
図６に、この場合の排出の様子を示す。これはオフセット機能を有していないトレイに排出する場合である。印刷停止前にすでに排出された複数枚の用紙５０の次に、向きを変えた白紙５１が印刷再開位置を示すものとして排出されている。そして、印刷停止前に排出された用紙５０に続く本文が印刷された次の用紙５２を、白紙５１の次に、前の用紙５０と同じ向きで排出していく。
【００４８】
ここに示す例では、今までの用紙とサイズが同じ白紙５１を向きを変えて排出することで、印刷再開位置を確認することができる。このようにサイズが同じ用紙であっても搬送方向に対する向きを異ならせて排出することで、排出トレイ上で今までの用紙から一部がはみ出るようになるので、再開位置を確認することができる。
【００４９】
このように印刷再開後、再開位置を示すために、印刷停止前に使用していた用紙とは異なる用紙（今の場合、同じサイズで向きが異なる白紙５１）を排出した場合には、通知部２０４は、その旨を通知する（Ｓ１０５）。この通知は、操作表示部２３に表示される。
【００５０】
今例えば、本文を印刷する用紙は給紙トレイＡ３００に格納されており、上記再開位置を示すために用いられる用紙として、同じサイズで向きの異なる白紙が給紙トレイＢ３０１に格納されていたとする。この場合には、例えば図７に示すように、「排出先はオフセット機能が無いため、給紙トレイＢの用紙を給紙しました」というメッセージ４５として、再開位置を示す用紙が挿入された旨の通知が操作表示部２３に表示される。
【００５１】
これによれば、ユーザは再開位置に挿入された用紙の種類が予めわかるので、再開位置を確認することができる。
【００５２】
なお、例えばステップＳ１０３の判断で、白紙で縦横の向きを変えた用紙が給紙トレイに格納されていない場合には、優先順位が次の、大きいサイズの用紙が給紙トレイに格納されていないか判断し、大きいサイズの用紙が給紙トレイに格納されている場合には、これを排出することとなる。結局、給紙トレイから給紙可能な用紙を用いて再開位置を示すようにしている。
【００５３】
また、選択された用紙が給紙トレイ（３００〜３０２）に格納されておらず、給紙できない場合（Ｓ１０３；Ｎｏ）には、通知部２０４は、その用紙の給紙ができない旨を通知する（Ｓ１０５）。この通知は、操作表示部２３に表示される。
【００５４】
例えば、図８に示すように「選択された用紙の給紙はできません」というメッセージ４６として操作表示部２３に通知が表示される。
【００５５】
この通知が表示された場合には、ユーザは適宜自分で判断して対応をすればよい。様々な対応が考えられるが、例えば、印刷停止前に集積されている用紙の上にユーザが自分で目印となるものを挿入してもよいし、すでに集積されている用紙を集積部３２から取り除いてから次の印刷を始めるようにしてもよいし、その他の対応でもよい。
【００５６】
また一方、排出先がオフセット機能を有している場合（Ｓ１０２；Ｙｅｓ）には、従来のオフセット機能を用いた印刷再開処理を行う（Ｓ１０７）。
【００５７】
すなわち、印刷物をオフセット機能を有しているスタッカトレイ３２１あるいは３２２に排出している場合には、オフセット機能を利用して、印刷再開後最初に本文が印刷された用紙をオフセットして排出することで再開位置を示すようにすることができる。
【００５８】
以上説明した第１の実施の形態では、トップトレイ３２０のようにオフセット機能を有していない排出トレイに印刷物を排出する場合、あるいはオフセット機能を有しているトレイに排出する場合であってもオフセット機能を使用せずに排出する場合に、印刷再開後最初に、今までの用紙とは搬送方向に対する向きの異なる白紙等を一部がはみ出るように排出することで再開位置を確認することができる。
【００５９】
（第２の実施の形態）
次に、本発明の第２の実施の形態について説明する。
【００６０】
第２の実施の形態は、システム及び各装置構成は前述した第１の実施の形態と同様である。また、動作を表すフローチャートも図４に示したものと同様である。以下、第１の実施の形態と異なる点についてのみ説明する。
【００６１】
第２の実施の形態は、再開位置を示す用紙として、再開後最初に印刷される本文を今までとは搬送方向に対する向きの異なる用紙に印刷して排出するものである。
【００６２】
すなわち、図５のＧＵＩ画面で「リカバリオフセットを行う」のチェックボックス４００にチェックを入れた後、「本文をオフセットする」のラジオボタン４０１を選択し、「ＳＥＦ／ＬＥＦを切りかえた用紙を給紙する」のチェックボックス４０２にチェックを入れる。
【００６３】
図９に、印刷再開位置を示すものとして、再開後最初に本文を印刷した用紙を向きを変えて排出した様子を示す。図９に示すように、印刷停止前に排出された用紙５３の次に、印刷再開後最初に印刷される本文の用紙５４を、今まで排出された用紙５３の次に向きを変えて排出する。さらに、これに続けて次の本文を印刷した用紙５５を元の向きで排出していく。
【００６４】
このように、第２の実施の形態では、印刷再開後最初に印刷される本文の用紙を向きを変えて排出することで、印刷再開位置を確認することができる。
【００６５】
なお、印刷再開後、再開位置を示すために、印刷停止前に使用していた用紙とは異なる用紙を排出したとして、通知部２０４がその旨を通知すること、及び選択された用紙が給紙トレイに格納されておらず、給紙できない場合に通知部２０４がその用紙の給紙ができない旨を通知することは第１の実施の形態と同様である。
【００６６】
（第３の実施の形態）
次に、本発明の第３の実施の形態について説明する。
【００６７】
第３の実施の形態は、再開位置を示す用紙として、本文を印刷していた用紙よりもサイズの大きい用紙を排出するものである。第３の実施の形態についても、システム及び各装置構成は前述した第１の実施の形態と同様であり、動作を表すフローチャートも図４に示したものと同様である。
【００６８】
この場合には、図５のＧＵＩ画面で「リカバリオフセットを行う」のチェックボックス４００にチェックを入れた後、「白紙を挿入する」のラジオボタン４０１を選択し、「大きいサイズの用紙を給紙する」のチェックボックス４０３にチェックを入れる。
【００６９】
図１０に、印刷再開位置を示すものとして、大きいサイズの用紙を排出した様子を示す。図１０に示す例は、Ａ４の用紙に本文を印刷する印刷指示を実行していて印刷が停止したとき、印刷再開後、再開位置を示すためにＡ４より大きいサイズの用紙としてＡ３の用紙を挿入する場合を示したものである。
【００７０】
図１０において、印刷が停止したとき、すでに複数の印刷済のＡ４の用紙５６が集積されていたとする。そこで印刷を再開したとき、本文を印刷する前にＡ３サイズの用紙５７を挿入する。その後今まで通り、本文をＡ４の用紙５８に印刷して排出する。
【００７１】
このように、印刷中に印刷が停止した場合、今まで印刷に用いていた用紙とはサイズの異なる用紙として、より大きなサイズの用紙が給紙トレイに格納されている場合には、そのサイズの大きな用紙を再開位置を示すための用紙として、印刷再開後最初に排出することで再開位置を確認することができる。
【００７２】
なお、このように大きなサイズの用紙を用いる場合には、その用紙は白紙のまま排出される。また、サイズの大きい用紙を用いる場合、図５のＧＵＩ画面に示した例では、幅及び高さを指定して、規定サイズ以上大きい用紙として設定していたが、今まで印刷に使用していた用紙とは無関係に、給紙トレイに格納されている最大サイズの用紙等のある特定のサイズの用紙を指定して設定するようにしてもよい。
【００７３】
なお、印刷再開後、再開位置を示すために、印刷停止前に使用していた用紙とは異なる用紙を排出したとして、通知部２０４がその旨を通知すること、及び選択された用紙が給紙トレイに格納されておらず、給紙できない場合に通知部２０４がその用紙の給紙ができない旨を通知することは第１の実施の形態と同様である。
【００７４】
（第４の実施の形態）
次に、本発明の第４の実施の形態について説明する。
【００７５】
上で説明した各実施の形態は、オフセット機能を有していない排出トレイに印刷物を排出する場合に、再開位置を確認できるようにするものであった。具体的には、印刷再開後最初に、同じサイズで向きの異なる白紙を排出したり、同じサイズで向きの異なる用紙に本文を印刷して排出したり、あるいは今までの用紙とサイズの異なる用紙を排出する等により、排出トレイ上で用紙の一部がはみ出るようにすることによって再開位置を示すようにしていた。
【００７６】
しかし、本発明は、オフセット機能を有していないトレイに印刷物を排出する場合にのみ効果を有するものではなく、オフセット機能を有しているトレイにオフセット機能を用いて排出する場合にも適用可能である。その例として第４の実施の形態について以下説明する。
【００７７】
例えば、オフセット機能を有している排出トレイを用いて、少量ページからなる部ごとにオフセットする設定の印刷指示を実行する場合、従来のように印刷停止後最初に排出される部の境目に挿入される用紙をオフセットして排出すると、少量ページからなる部の境目が分かりにくくなるという問題があった。
【００７８】
第４の実施の形態は、このような問題に対処するものであり、少量ページからなる部単位の印刷指示をオフセット機能のある排出トレイに部単位でオフセットして排出する場合に対応する。なお、第４の実施の形態のシステム及び装置構成は上述した各実施の形態と同様である。
【００７９】
図１１は、第４の実施の形態における印刷制御装置２の動作の一例を示すフローチャートである。
【００８０】
図１１において、印刷制御装置２の障害検知部２０２は、印刷装置３から印刷装置３の状態を定期的に受信し、その内容から印刷障害の発生を検知する（Ｓ２００）。
【００８１】
印刷障害の発生を検知すると、印刷制御装置２の印刷制御部２０１は、印刷装置３の印刷実行を停止し、障害が除去された後の印刷再開処理の設定を行う（Ｓ２０１）。すなわち、印刷を再開する際、集積部３２に集積される印刷物に対して、再開位置を確認するための目印を付与する処理を行うか否か、また行う場合にはどのような内容とするか等の設定を行う。印刷再開処理の設定は、印刷制御装置２の操作表示部２３に表示されるＧＵＩ画面によって行われる。
【００８２】
図１２に、印刷再開処理の設定を行うＧＵＩ画面の一例を示す。図１２に示すＧＵＩ画面６０において、まず再開位置を確認するための目印を付与する処理を行う場合には、「リカバリオフセットを有効にする」のチェックボックス６００にチェックを入れる。次に再開位置の目印として、再開位置に白紙を挿入するか、再開後の最初に印刷される本文の用紙を向きを変えて排出するか、をラジオボタン６０１のいずれかをクリックして選択する。図では「本文をオフセットする」を選択している。
【００８３】
次に少量ページの印刷指示の設定を行う。まず、「リカバリオフセットの仕方を切り替える」のチェックボックス６０２にチェックを入れ、少量ページと判断するページ数を数値入力ボックス６０３に入力する。図の例では、１０ページと入力している。すなわち１０ページより少ない部数単位の印刷指示に対して、ここで設定するリカバリオフセットを行う。
【００８４】
ここでは再開位置を確認するための目印を付与する処理を行うので、次の「リカバリオフセットしない」のチェックボックス６０４にはチェックを入れない。次に再開位置を示すために挿入される用紙を選択する。ここでは「ＳＥＦ／ＬＥＦを切りかえた用紙を供給する」のチェックボックス６０５と「大きいサイズの用紙を給紙する」のチェックボックス６０６の両方にチェックを入れている。このように両方を選択した場合には、上述した第１の実施の形態と同様に、より上にあるものが優先される。すなわち、ここで上にある「ＳＥＦ／ＬＥＦを切りかえた用紙を供給する」が優先される。よって本文を印刷している用紙とは縦横の向きが異なる用紙が優先的に給紙される。
【００８５】
また大きいサイズの用紙のようにサイズの異なる用紙を選択した場合には、次の数値入力ボックス６０７に、用紙の幅及び高さを入力する。図の例では、幅及び高さともに１０ｍｍ以上と入力されている。設定が終了したら「ＯＫ」ボタン６０８を押す。また、設定をキャンセルする場合には「キャンセル」ボタン６０９を押す。
【００８６】
なお、印刷再開処理の設定は、このように印刷が停止した時点で行うのではなく、予め印刷を始めるときに行っておいてもよい。
【００８７】
印刷再開処理の設定が終わり印刷再開処理が開始されると、印刷制御装置２の印刷制御部２０１は、印刷指示が少量ページか否か判断する（Ｓ２０２）。すなわち、上記設定で少量ページとは１０ページ以下であると設定されているので、現在印刷を実行している印刷指示の１部のページ数が１０ページ以下か否か判断する。
【００８８】
その結果１０ページ以下で少量ページと判断された場合には（Ｓ２０２；Ｙｅｓ）、次に印刷制御部２０１は印刷指示にオフセット指定があるか否か判断する（Ｓ２０３）。
【００８９】
印刷指示にオフセット指定がある場合には（Ｓ２０３；Ｙｅｓ）、次に印刷制御部２０１は印刷装置３に問い合わせて、上で選択された用紙があるか否か判断する（Ｓ２０４）。すなわち、図１２のＧＵＩ画面の設定によれば、今印刷している用紙と同サイズで向きの異なる用紙と大きいサイズの用紙との両方が選択されているが、同サイズで向きの異なる用紙が優先されるので、まず同サイズで向きの異なる用紙が給紙トレイに格納されているか否か判断される。
【００９０】
その結果、今印刷している用紙と同サイズで向きの異なる用紙が給紙トレイに格納されている場合には（Ｓ２０４；Ｙｅｓ）、再開位置を表示する用紙として印刷再開後最初に、今印刷している用紙と同サイズで向きの異なる用紙を用いて印刷して排出する（Ｓ２０５）。
【００９１】
また今印刷している用紙と同サイズで向きの異なる用紙が給紙トレイに格納されていない場合には（Ｓ２０４；Ｎｏ）、次に、図１２のＧＵＩ画面で設定された大きなサイズの用紙が給紙トレイに格納されているか否か判断される（Ｓ２０６）。
【００９２】
大きなサイズの用紙が給紙トレイに格納されている場合には（Ｓ２０６；Ｙｅｓ）、その大きなサイズの用紙を、再開位置を示す用紙として印刷再開後最初に排出する（Ｓ２０７）。この大きなサイズの用紙は白紙で排出される。
【００９３】
同サイズで向きの異なる用紙を排出した場合、及び大きなサイズの用紙を排出した場合には、通知部２０４は、それらの用紙を排出し挿入した旨を通知する（Ｓ２０８）。例えば給紙される用紙が給紙トレイＢ３０１に格納されていた場合、図１３に示すように「ジョブのページ数が少ないため、給紙トレイＢの用紙を給紙しました」というメッセージ６５として通知が操作表示部２３に表示される。
【００９４】
また、大きなサイズの用紙が給紙トレイに格納されていない場合には（Ｓ２０６；Ｎｏ）、通知部２０４は、選択された用紙を給紙することができない旨を、図８に示すようなメッセージ４６として通知する（Ｓ２０９）。
【００９５】
また、印刷指示が少量ページでない場合（Ｓ２０２；Ｎｏ）、及び少量ページであるが印刷指示にオフセット指定がない場合（Ｓ２０３；Ｎｏ）には、いずれも通常の印刷再開処理が行われる（Ｓ２１０）。すなわち、この場合排出トレイがオフセット機能を有しているので、そのオフセット機能を用いて、印刷再開後に最初に排出される用紙をオフセットして排出する。
【００９６】
このとき、印刷指示が少量ページでなければ、印刷再開後最初に排出される用紙をオフセットしても再開位置を確認できる。また印刷指示が少量ページであっても印刷指示にオフセット指示がなければ、もともとオフセットしていないので、印刷再開時の最初の用紙をオフセットすることで再開位置を確認することができる。
【００９７】
このように第４の実施の形態によれば、オフセット機能を有する排出トレイに少量ページの印刷物を排出する場合であっても、印刷停止後に印刷を再開する場合に、本文と同じサイズで向きが異なる用紙、あるいはサイズが大きい用紙を一部がはみ出るように排出することで、少量ページの部の境目を確認することができる。
【００９８】
今まで説明した実施の形態では、印刷が停止して、その後印刷を再開したときに排出トレイ上で一部がはみ出るような用紙を挿入することで再開位置（印刷が停止した位置）を確認できるようにしていた。しかし、本発明は、必ずしもこのように印刷が停止した場合にその位置を確認するだけでなく、印刷指示の実行中に確認したいページを印刷したサンプルシートを他の用紙とともに同一の集積部に集積する際のサンプルシートの位置の確認にも適用することができる。
【００９９】
すなわち、サンプルシートの用紙として集積部に集積したときに他の用紙からはみ出るような用紙を用いることで、サンプルシートの位置を確認することができる。このような用紙としては、例えば、それまで使用していた用紙とは搬送方向に対する向きが異なる用紙や、それまで使用していた用紙よりも搬送方向又はこの方向に直交する方向のサイズが大きい用紙、あるいは予め指定された大きさのサイズの用紙でもよい。
【０１００】
以上、本発明の様々な実施の形態について説明してきたが、本発明はこれらの実施の形態のみに限定されるものではない。本発明は、これらの他にも本発明の趣旨を逸脱しない範囲で種々な変形が可能である。例えば、印刷制御装置２が有する機能をコントローラとして印刷装置３が有していてもよい。また例えば、上記実施の形態における印刷制御プログラム２１０をＣＤ−ＲＯＭ等の記録媒体に記憶して提供するようにしてもよい。
【０１０１】
また、上記実施の形態で用いたプログラムをクラウドサーバ等の外部サーバに格納しておき、ネットワークを介して利用することもできる。
【０１０２】
また、制御部２０を構成する各部は、それぞれ一部又は全部を再構成可能回路（ＦＰＧＡ：Field Programmable Gate Array）、特定用途向け集積回路（ＡＳＩＣ：Application Specific Integrated Circuit）等のハードウェア回路によって構成してもよい。
【符号の説明】
【０１０３】
１…印刷制御システム、２…印刷制御装置、３…印刷装置、４…端末装置、５…ネットワーク、２０…制御部、２１…記憶部、２２…通信部、２３…操作表示部、３０…給紙部、３１…印刷部、３２…集積部、４０…印刷再開処理の設定を行うＧＵＩ画面、４５、４６…メッセージを表示する画面、５０…すでに排出された複数枚の用紙、５１…向きを変えた白紙、５２…本文が印刷された次の用紙、５３…印刷停止前に排出された用紙、５４…印刷再開後最初に印刷される本文の用紙、５５…次の本文を印刷した用紙、５６…すでに印刷済みのＡ４の用紙、５７…Ａ３サイズの用紙、５８…次の本文を印刷したＡ４の用紙、６０…印刷再開処理の設定を行うＧＵＩ画面、６５…メッセージを表示する画面、２００…印刷指示管理部、２０１…印刷制御部、２０２…障害検知部、２０３…用紙選択部、２０４…通知部、２１０…印刷制御プログラム、２１１…選択用紙情報、２１２…印刷再開情報、３００…給紙トレイＡ、３０１…給紙トレイＢ、３０２…給紙トレイＣ、３２０…トップトレイ、３２１、３２２…スタッカトレイ、４００、４０２、４０３…チェックボックス、４０１…ラジオボタン、４０４…数値入力ボックス、４０５…「ＯＫ」ボタン、４０６…「キャンセル」ボタン、６００、６０２、６０３、６０４、６０５、６０６…チェックボックス、６０１…ラジオボタン、６０７…数値入力ボックス、６０８…「ＯＫ」ボタン、６０９…「キャンセル」ボタン
【図１】
2019093673.tif 000003
【図２】
2019093673.tif 000004
【図３】
2019093673.tif 000005
【図４】
2019093673.tif 000006
【図５】
2019093673.tif 000007
【図６】
2019093673.tif 000008
【図７】
2019093673.tif 000009
【図８】
2019093673.tif 000010
【図９】
2019093673.tif 000011
【図１０】
2019093673.tif 000012
【図１１】
2019093673.tif 000013
【図１２】
2019093673.tif 000014
【図１３】
2019093673.tif 000015